(57)【要約】　　　（修正有）【課題】各種寸法のガスレンジに適用され、且つ風速微調整ボタンにより適当な風速に調整できる導煙機の提供。【解決手段】前機体１と左機体及び右機体３で組成された導煙機がガスレンジ周囲に取り付けられて、全方位に油煙を隔離し、前機体の二端の軌道１４に左機体及び右機体の凸塊３３がスライド自在に結合されて、各種寸法（幅）のガスレンジに適応され、前機体に風速微調整ボタン１３が設けられ、各過程の換気扇設置の高度の違いにより、必要な風速も異なるため、この風速微調整ボタンにより適当な風速に調整可能とされている。【選択図】　　　　図１
0003098098.tif 000002
【実用新案登録請求の範囲】
【請求項１】
導煙機において、
左ケースカバーが螺子止めされた左ケース、右ケースカバーが螺子止めされた右ケース、及び中間に位置する風速微調整ボタンを具え、左ケースと右ケース内に籠輪と該籠輪を駆動し回転させるモータがそれぞれ取り付けられ、左ケースの背面左端と右ケースの背面右端に軌道が螺子止めされ、該軌道内に滑り溝があり、滑り溝の一側にストッパ板が設けられてなる前機体と、
ケースとケースカバーが螺子止めされてなり、内部に籠輪とこの籠輪を駆動し回転させるモータが取り付けられ、ケースの一端に凸塊が螺子止めされ、該凸塊が前機体の滑り溝内にスライド式に嵌め込まれることにより前機体と結合された右機体と、
ケースとケースカバーが螺子止めされてなり、内部に籠輪とこの籠輪を駆動し回転させるモータが取り付けられ、ケースの一端に凸塊が螺子止めされ、該凸塊が前機体の滑り溝内にスライド式に嵌め込まれることにより前機体と結合された左機体と、
を具え、左機体と右機体の位置が、前機体の軌道の滑り溝内にあっての上記凸塊のスライドにより調整され、ガスレンジの幅に合わせて使用されることを特徴とする、導煙機。
【請求項２】
請求項１記載の導煙機において、前機体と左機体、右機体のケースの内側に二つの斜めの導風羽根が固定されたことを特徴とする、導煙機。
【請求項３】
請求項１記載の導煙機において、前機体の左ケースの左側板と右ケース右側板に電源挿入孔が設けられ、左機体と右機体のケースの一端に電源プラグが設けられ、左機体と右機体のケースのもう一端に電源ソケットが設けられ、電源プラグが左機体と右機体のケースの電源ソケットに挿入され、右機体と左機体の電源プラグが前機体の電源挿入孔に挿入されたことを特徴とする、導煙機。
【請求項４】
請求項１記載の導煙機において、前機体と左機体と右機体の底面に防振パッドが設けられたことを特徴とする、導煙機。
【考案の詳細な説明】
【０００１】
【考案の属する技術分野】
本考案は一種の導煙機に係り、特に風壁原理を利用してガスレンジ周辺に設置される導煙機とされ、食品調理時に発生する油煙を換気扇の吸入口に案内し、油煙を順調に屋外に排出させて全方位の油煙隔離を行う導煙機に関する。
【０００２】
【従来の技術】
一般にガスレンジの上方には換気扇が取り付けられ、換気扇によりガスレンジ上の油煙を排出する。換気扇とガスレンジの間には距離があり、ゆえに換気扇の吸入力の範囲を有効に拡大することはできず、一部の油煙が厨房器具を汚染するほか、人体の肺に吸入されて健康を損ないうる。
【０００３】
このため特許文献１、及び特許文献２にはこのような欠点を解決するため提供されたものであるが、それぞれ以下のような欠点を有している。
特許文献１は、送風装置２が位置決め棒３の補助により換気扇１１に取り付けられるが、各家庭のガスレンジ１２の長さ寸法はそれぞれ異なり、長い過ぎる或いは幅が広過ぎるガスレンジ１２には適用できない。且つ送風装置２はガスレンジ１２の周辺に貼り付けて一体の装置とすることができない。
【０００４】
特許文献２は、導煙機Ａの構造が複雑すぎ、支持アーム２０、枢接アーム３０、端部キャップ４０、伝動軸カバー５０、連接棒６０、シール手段７０、ブロワボックス８０及びファン軸９０等の機構を具え、導煙機Ａはガスレンジ１１の前方のみに設置可能で、全方位（両側及び前側）の油煙隔離装置を形成不能である。さらに、導煙機Ａはガスレンジ１１の周辺と密接に結合して全体性の構造を形成することができない。
【０００５】
上述の特許文献１、２は、その送風装置（或いは導煙機）固定がいずれもボルトを利用して手作業で達成され、且つこの機構はその寸法長さを調整不能で、ゆえに市販されている各種のガスレンジの幅寸法と密接に結合して一体的な装置とされることができず、ゆえに各家庭の換気扇とガスレンジの間の取り付け高さの違いに合わせて、送風導煙に必要な出風力の違いにより風速を適当に調整して油煙を順調に排出させることができない。
【０００６】
【特許文献１】
台湾特許公告第３８３０８８号明細書
【特許文献２】
台湾特許公告第４７９７８９号明細書
【０００７】
【考案が解決しようとする課題】
ゆえに周知の製品の欠点を排除し、機能を高めた導煙機が求められている。
本考案の主要な目的は、一種の導煙機を提供することにあり、それは、前機体の背面の両端にそれぞれ軌道が螺子止めされ、軌道内にコ形の滑り溝が設けられ、左右の機体の一側面に凸塊が螺子止めされ、該凸塊が前機体の軌道の滑り溝内にスライド自在に嵌入されて、左右の機体と前機体が結合され、凸塊の軌道に沿ったスライドにより、各種の異なる寸法（幅）のガスレンジに適用される。
【０００８】
本考案のもう一つの目的は、一種の導煙機を提供することにあり、それは、ガスレンジの周辺に前機体及び左右の機体で組成された導煙機が設けられ、該導煙機の前機体及び左右の機体内にそれぞれモータで駆動されて回転する籠輪が設けられ、その発生する気流が出風口より上向きとされて、風の壁を形成し、全方位で油煙を隔離するものとされる。
【０００９】
本考案のさらに別の目的は、一種の導煙機を提供することにあり、それは、前気体に風速微調整ボタンが設けられ、電源スイッチとして使用されるほかに風速を適当に調整するのに用いられ、各家庭の換気扇の設置高度の違いにより必要とされる風速の違いに対応するものとされる。
【００１０】
本考案のまた別の目的は、一種の導煙機を提供することにあり、それは、前機体と左右の機体のケース内側に斜めの導風羽根が設けられ、該導風羽根が角部の気流の不足を補充し、油煙を上向きとするのを補助し、換気扇の吸入力の範囲を広げるものとされる。
【００１１】
【課題を解決するための手段】
請求項１の考案は、導煙機において、
左ケースカバーが螺子止めされた左ケース、右ケースカバーが螺子止めされた右ケース、及び中間に位置する風速微調整ボタンを具え、左ケースと右ケース内に籠輪と該籠輪を駆動し回転させるモータがそれぞれ取り付けられ、左ケースの背面左端と右ケースの背面右端に軌道が螺子止めされ、該軌道内に滑り溝があり、滑り溝の一側にストッパ板が設けられてなる前機体と、
ケースとケースカバーが螺子止めされてなり、内部に籠輪とこの籠輪を駆動し回転させるモータが取り付けられ、ケースの一端に凸塊が螺子止めされ、該凸塊が前機体の滑り溝内にスライド式に嵌め込まれることにより前機体と結合された右機体と、
ケースとケースカバーが螺子止めされてなり、内部に籠輪とこの籠輪を駆動し回転させるモータが取り付けられ、ケースの一端に凸塊が螺子止めされ、該凸塊が前機体の滑り溝内にスライド式に嵌め込まれることにより前機体と結合された左機体と、
を具え、左機体と右機体の位置が、前機体の軌道の滑り溝内にあっての上記凸塊のスライドにより調整され、ガスレンジの幅に合わせて使用されることを特徴とする、導煙機としている。
請求項２の考案は、請求項１記載の導煙機において、前機体と左機体、右機体のケースの内側に二つの斜めの導風羽根が固定されたことを特徴とする、導煙機としている。
請求項３の考案は、請求項１記載の導煙機において、前機体の左ケースの左側板と右ケース右側板に電源挿入孔が設けられ、左機体と右機体のケースの一端に電源プラグが設けられ、左機体と右機体のケースのもう一端に電源ソケットが設けられ、電源プラグが左機体と右機体のケースの電源ソケットに挿入され、右機体と左機体の電源プラグが前機体の電源挿入孔に挿入されたことを特徴とする、導煙機としている。
請求項４の考案は、請求項１記載の導煙機において、前機体と左機体と右機体の底面に防振パッドが設けられたことを特徴とする、導煙機としている。
【００１２】
【考案の実施の形態】
図１から図３に示されるように、本考案は前機体１及び左機体２及び右機体３で組成された導煙機がガスレンジ１０の前方及び左側と右側に取り付けられ、且つガスレンジ１０と一体に形成される（図３参照）。
【００１３】
前機体１の左ケースカバー１１０、右ケースカバー１２０には左機体２と右機体３が螺子止めされ、該前機体１の中間に風速微調整ボタン１３が設けられ、該左ケースカバー１１０、右ケースカバー１２０の前端に入気孔１１０１、１２０１があり、左ケースカバー１１０、右ケースカバー１２０内に籠輪１１１、１２１及びモータ１１２、１２２が取り付けられ、該籠輪１１１、１２１が対応するモータ１１２、１２２の軸心に連接され、このモータ１１２、１２２が対応する籠輪１１１、１２１を駆動し回転させる。風速微調整ボタン１３は風速を適当に調整するのに用いられる（各家庭の換気扇設置高度は異なるため、必要な風速も異なるため）ほか、電源スイッチとしても用いられる。左ケースカバー１１０の背面左端、右ケースカバー１２０の背面右端にそれぞれ軌道１４が螺子止めされ、該軌道１４内にコ字形の滑り溝１４１が形成され、該滑り溝１４１の外側にストッパ板１４２が形成されている。別に、左ケースカバー１１０の左側板、右ケースカバー１２０の右側板にそれぞれ電源挿入孔１５が設けられている。
【００１４】
左機体２と滑り溝１４１は同じ構造とされて前機体１の左側と右側に取り付けられ、図１は僅かに右機体３の分解図であり、左機体２と右機体３はケース２１、３１とケースカバー３２が螺子止めされてなり、ケース２１、３１内にそれぞれ籠輪２１１、３１１とモータ２１２、３１２が取り付けられ、該籠輪２１１、３１１が対応するモータ２１２、３１２の軸心に連接され、モータ２１２、３１２により対応する籠輪２１１、３１１が駆動され回転する。ケースカバー３２の前側には入風孔３２１が設けられ、ケース２１、３１の一側に電源ソケット３１３が設けられ、もう一側に電源プラグ３１４が設けられ、電源ソケット３１３に電源プラグ４が挿入され、電源プラグ３１４が前機体１の左ケース１１、右ケース１２の電源挿入孔１５に挿入される。左機体２、右機体３のケース２１、３１の電源プラグ３１４が設けられた端部にＵ形の凸塊３３が螺子止めされ、該凸塊３３が前機体１の軌道１４内側より滑り溝１４１内にスライド式に挿入され、左機体２と右機体３が前機体１の左側と右側に嵌め止めされ、滑り溝１４１の一側のストッパ板１４２が凸塊３３の脱落を防止する。
【００１５】
さらに、前機体１及び左機体２及び右機体３のケース１１、２１、３１の後部内側に二つの斜めの導風羽根１１３、１２３、２１５、３１５が接着されて角部の気流不足を補充するのに供され、図４には、右機体３のケース３１に設けられた導風羽根３１５の導風により形成された風の壁Ａが示されている（前機体１及び左機体２の導風羽根１１３、１２３、２１５の導風により形成される風の壁Ａも同様である）。モータ１１２、１２２、２１２、３１２が籠輪１１１、１２１、２１１、３１１を駆動し回転させることにより発生する気流は出風口１１４、１２４、２１６、３１６より上向きに流れ、透明状の風の壁Ａを形成し（図３の如し）、全方位で油煙を隔離し、油煙が上向きに流れて換気扇２０の吸引力の及ぶ範囲に至るのを助ける。
【００１６】
また、前機体１及び左機体２と右機体３のケース底部に防振パッド３０が接合され（図１）、これにより導煙機の運転時の騒音の発生が防止される。
【００１７】
【考案の効果】
総合すると、本考案の導煙機は、ボルト等の固定装置を使用せずにガスレンジの周辺に取り付けられてガスレンジと緊密に結合されて一体とされる。且つ左機体と右機体がその凸塊により前機体の両側のレールの滑り溝内を移動可能に取り付けられ、任意の異なる寸法（幅）のガスレンジに適用される。さらに風速微調整ボタンにより各家庭の換気扇の設置高度に合わせて風速を適当に調整でき、その実用効果は疑いないものであり、また本考案は未だ公開されておらず、実用新案登録の要件を満たしている。
【図面の簡単な説明】
【図１】本考案の部分分解図である。
【図２】本考案の平面断面図である。
【図３】本考案の実施例図である。
【図４】本考案の導風羽根の導風表示図である。
【符号の説明】
１０　ガスレンジ　　　２０　換気扇　　　　　　３０　防振パッド
１　前機体　　　　　　１１　左ケース　　　　　１２　右ケース
１１０　ケースカバー　１２０　ケースカバー
１１０１、１２０１　入風孔　　　　１１１、１２１　籠輪
１１２、１２２　モータ　　　　　　１１３、１２３　導風羽根
１１４、１２４　出風口　　　　　　１３　風速微調整ボタン
１４　軌道　　　　　　　　　　　　１４１　滑り溝
１４２　ストッパ板　　　　　　　　１５　電源挿入孔
２　左機体　　　　　　　　　　　　３　右機体
２１、３１　ケース　　　　　　　　２１１、３１１　籠輪
２１２、３１２　モータ　　　　　　３１３　電源ソケット
３１４　電源プラグ　　　　　　　　２１５、３１５　導風羽根
２１６、３１６　出風口　　　　　　３２　ケースカバー
３２１　入風孔　　　　　　　　　　３３　凸塊
４　プラグ　　　　　　　　　　　　Ａ　風の壁
【図１】
0003098098.tif 000003
【図２】
0003098098.tif 000004
【図３】
0003098098.tif 000005
【図４】
0003098098.tif 000006